(57)【特許請求の範囲】
【請求項１】
遊技領域が形成された遊技盤が取付けられるパネル部に、当該遊技盤の前面を覆うカバーガラス枠が配設される遊技機において、
前記遊技盤は、前面側に前記遊技領域の前面を画成する透明なカバー部材が取付けられるとともに、上部にフックが設けられ、
前記パネル部には、前記遊技盤の形状に合わせた所定の大きさの凹室を形成して、該凹室の奥部面を所定の大きさに開口し、
前記凹室の上部には、前記遊技盤のフックを回動自由に掛合可能なバーが左右方向に固定され、
前記凹室の下部には、支持台が配置されて、前記遊技盤の下部を掛止する掛止機構が設けられた支持フレームを当該支持台に配設し、
前記支持フレームは、前記支持台の前後方向にスライド自由に構成されたことを特徴とする遊技機の遊技盤取付構造。
【請求項２】
前記遊技盤の下部には、前記掛止機構に対応する位置に係合溝を形成すると共に、当該係合溝の裏面側に壁部を形成し、
前記掛止機構は、先端部に支持台の前端側に下りテーパ状の斜向面を有し、スプリングにより上方に付勢される爪部材と、位置を規制するストッパ部材と、からなり、
前記遊技盤の取付け時には、前記壁部の押圧力を前記斜向面が受けることで当該爪部材が後退動した後に前記係合溝に嵌まり、当該爪部材とストッパ部材との間に前記壁部を嵌装可能としたことを特徴とする請求項１に記載の遊技機の遊技盤取付構造。
【発明の詳細な説明】
【０００１】
【産業上の利用分野】
この発明は、遊技機の遊技盤の取付構造に関する。
【０００２】
【従来の技術】
従来、遊技盤に表示装置、変動入賞装置等を設け、所定の入賞条件および表示装置等の遊技条件にしたがって、遊技者に有利な遊技状態を発生するパチンコ遊技機がある。
【０００３】
このような遊技機は、四辺形をした外枠の片側に支軸を設け、この外枠に支軸を介して四辺形をした内枠を開動可能に取付け、この内枠に遊技盤等を装着していた。
【０００４】
【発明が解決しようとする課題】
この従来の遊技機の遊技盤は、内枠に形成された盤装着部に、基板の下部および四隅の面等を合わせて一定の装着位置にて、両側上部および下部を取付具によって底部側に押止することによって固定されていた。
【０００５】
このような遊技機は、遊技盤面を鉛直面に対していくらか後傾させるように、遊技店の島設備に設置される際に、遊技機自体（外枠）がいくらか角度を付けて取付けられていた（例えば、釘等によって打ち付けられていた）。
【０００６】
しかし、遊技機の高機能化等によって重量が重くなると、遊技機全体を角度を付けては取付けにくい。また、外枠が曲面構造に形成されていたり、材質等によっては、角度を付けて取付けにくいことがある。また、一度遊技機の取付角度を決めてしまうと、容易には変えられないのである。
【０００７】
この発明は、このような問題点を解決することを目的としている。
【０００８】
【課題を解決するための手段】
第１の発明は、遊技領域が形成された遊技盤が取付けられるパネル部に、当該遊技盤の前面を覆うカバーガラス枠が配設される遊技機において、前記遊技盤は、前面側に前記遊技領域の前面を画成する透明なカバー部材が取付けられるとともに、上部にフックが設けられ、前記パネル部には、前記遊技盤の形状に合わせた所定の大きさの凹室を形成して、該凹室の奥部面を所定の大きさに開口し、前記凹室の上部には、前記遊技盤のフックを回動自由に掛合可能なバーが左右方向に固定され、前記凹室の下部には、支持台が配置されて、前記遊技盤の下部を掛止する掛止機構が設けられた支持フレームを当該支持台に配設し、前記支持フレームは、前記支持台の前後方向にスライド自由に構成される。
【０００９】
第２の発明は、前記遊技盤の下部には、前記掛止機構に対応する位置に係合溝を形成すると共に、当該係合溝の裏面側に壁部を形成し、前記掛止機構は、先端部に支持台の前端側に下りテーパ状の斜向面を有し、スプリングにより上方に付勢される爪部材と、位置を規制するストッパ部材と、からなり、前記遊技盤の取付け時には、前記壁部の押圧力を前記斜向面が受けることで当該爪部材が後退動した後に前記係合溝に嵌まり、当該爪部材とストッパ部材との間に前記壁部を嵌装可能とする。
【００１８】
【実施例】
以下、本発明の実施例を図面に基づいて説明する。
【００１９】
図１〜図４において、１は遊技機（パチンコ機）の機枠（外枠）、２は内枠を示す。
【００２０】
内枠２は、外枠１に前後方向に移動可能に、前面のパネル部３が開閉可能に形成される。内枠２のパネル部３には、遊技盤５が取付けられ、遊技盤５の前面を覆うカバーガラス枠６が配設され、前方に膨出されたパネル下部７に遊技の操作部１０が配設される。
【００２１】
遊技盤５は、図５のように内枠２のパネル部３の盤装着部１１に取付けられる。
【００２２】
盤装着部１１は、図６のようにパネル部３に遊技盤５の基板１２の形状に合わせた所定の大きさの凹室１３が形成される。凹室１３の奥部面は所定の大きさに開口される。
【００２３】
凹室１３の上部には、ブラケット１４が形成され、このブラケット１４に丸棒部材からなるバー１５が固定される。バー１５は、パネル部３の表面近くに左右方向に設けられる。
【００２４】
凹室１３の下部には、図７〜図９のようにパネル部３の前壁１６と凹室１３の周壁とで囲われる底部に取付角調整機構１８の支持台１７が配置される。
【００２５】
支持台１７は、パネル部３の前壁１６の高さとほぼ同じ高さに形成され、この支持台１７に台板５０の所定の開口部位にて支持フレーム２０を介して遊技盤５を固定する掛止機構２１が設けられる。
【００２６】
支持フレーム２０は、支持台１７の台板５０の裏面に四隅を支えボルト５１を介して支持台１７の前後方向（遊技盤の前後方向）にスライド自由に配設され、両端に設けられたスプリング５２によって支持台１７の後方向に付勢される。
【００２７】
支持フレーム２０の後端には図１１のように下方にフランジ部５３が形成され、そのフランジ部５３を介して支持フレーム２０を支持台１７の前後方向に駆動する駆動装置５４が設けられる。
【００２８】
駆動装置５４は、図９〜図１１のように支持台１７に設置されたモータ５５によって歯車５６を介し回動される回動軸５７が支持フレーム２０に並設され、この回動軸５７の両端部にフランジ部５３の両端部に当接する一対のカム６０が取付けられる。
【００２９】
カム６０には、図１２、図１３、図１１のようにリフト０の区間、およびリフト中、リフト大のそれぞれ所定角度範囲の区間が形成される。回動軸５７の先端には計測盤６１が取付けられ、その計測盤６１からカム６０の初期位置（リフト０の所定位置）を検出するフォトセンサ６２が設けられる。
【００３０】
カム６０がリフト０の区間位置にあるときは、支持フレーム２０は初期位置に後退される（図１２）。モータ５５が駆動され、カム６０がリフト中の区間位置に回動されると、支持フレーム２０は支持台１７の前方向に所定量前進され（図１３）、さらにモータ５５が駆動され、カム６０がリフト大の区間位置に回動されると、支持フレーム２０は支持台１７の前方向に最大位置まで前進される（図１１）。
【００３１】
掛止機構２１は、支持フレーム２０に設けられ、図１４のようにスプリングにより支持台１７の上方に付勢される爪部材２２と、位置を規制するストッパ部材２３と、支持台１７の前端側から爪部材２２を後退動作可能な解放レバー２４とからなる。
【００３２】
爪部材２２は、支持台１７の前端側に下りテーパ状に形成された先端部の斜向面を押すと、後退動される。また、支持台１７の前端側から解放レバー２４を押すと、解放レバー２４に形成された斜向溝２５に沿って爪部材２２が、後退動される。
【００３３】
支持フレーム２０の左端には、内枠２側の配線と遊技盤５側の配線とを接続する配線端子のブラケット座２６が形成され、このブラケット座２６に内枠２側の接続端子（メス）２７が接続孔を凹室１３の前方側に向けて取付けられる。
【００３４】
内枠２のパネル部３および凹室１３の裏面の周囲には、遊技球の誘導樋３１等が配設される。
【００３５】
遊技盤５の基板１２には、図１５のように上部に前記凹室１３の上部のバー１５に回動自由に掛合可能なプレート状の幅広のフック３３が設けられる。フック３３は基板１２の前面側に設けられる。
【００３６】
遊技盤５の表面の遊技領域（基板１２に形成）には、図１５のように打球発射装置から遊技球が発射され、領域内中央に遊技画像等を表示する画像表示装置３４が、その下方に変動入賞装置３５等が配設される。
【００３７】
遊技盤５には、図５にも示すように遊技領域の前面に遊技領域を画成する透明樹脂からなるカバー３８，３９が取付けられる。カバー３８，３９は、開閉可能にあるいは嵌込み式等により着脱自由に設けられる。後述するように、遊技盤５を傾斜させて取付けると、カバーガラス枠６のカバーガラスとの隙間が大きくなるが、その遊技領域の前面にカバー３８，３９を取付けることによって、遊技盤５を傾斜させても一定の遊技領域空間が得られ、遊技球の適正な動きが維持される。遊技盤５の裏面には、遊技球を導く誘導樋、遊技制御装置３６等が配設される。
【００３８】
遊技盤５の基板１２の下部には、図１４〜図１６のように前記支持台１７の掛止機構２１に対応する位置に爪部材２２と係止可能な係合溝３７が形成される。係合溝３７の基板１２の裏面側の壁部４０は、掛止機構２１の爪部材２２とストッパ部材２３との間に嵌装可能な厚さに形成される。
【００３９】
基板１２の下部左端には、前記支持台１７の支持フレーム２０に取付けられた内枠２側の接続端子（メス）２７に対応する位置に遊技盤５側の接続端子（オス）４１が図１６のように接続端を裏面側に向けて取付けられる。
【００４０】
なお、支持台１７の前端には、カバーガラス枠６を閉位置にロックするためのスライドピン４２が取付けられる。スライドピン４２は、パネル部３の右下部に設けられる錠４３のキー４４の開放操作によって、あるいは開放スイッチ等の操作に基に駆動されるソレノイド４５によって、リンク機構４６を介して開位置に切換えられる。この開位置への切換えによってカバーガラス枠６が開けられる。
【００４１】
パネル下部７の操作面は前方に下がり傾斜面に形成され、その操作面に打球発射装置の打球発射、遊技等をコントロールする遊技操作部１０、ならびに自動玉貸し装置等の操作部４７等が形成される。
【００４２】
図１９には取付角調整機構１８の駆動装置５４の制御系のブロック構成を、図２０にはその制御フローを示す。
【００４３】
遊技店の管理装置側にてまた遊技機側にて遊技盤５の取付角度を設定するための設定スイッチが設けられる。また、遊技盤５の取付角度を設定するためのリモートコントロール装置等が設けられる。この設定スイッチ、リモートコントロール装置等の操作手段６５の操作によって３歩、４歩、５歩の調整信号が選択的に駆動制御装置６６に入力される。この操作手段６５から調整信号が入力されると、駆動制御装置６６によりその調整信号および駆動装置５４のカム６０の位置を検出するフォトセンサ６２からの信号を基に、駆動装置５４のモータ５５が駆動制御される。
【００４４】
図２０のように、電源投入時（遊技機の電源投入時）に、駆動装置５４のモータ５５をオンして、フォトセンサ６２がオンするとつまりカム６０が初期位置（リフト０の所定位置）にくると、モータ５５をオフする（ステップ１〜４）。
【００４５】
このカム６０の初期設定後、５歩調整信号の入力があると、タイマ１をセットしてこれがタイムアップするまでの時間、モータ５５をオンする（ステップ５，６，１０〜１２）。つまり、モータ５５の時間制御によってカム６０を初期位置からリフト大の区間位置に回動する。
【００４６】
４歩調整信号の入力があると、タイマ２をセットしてこれがタイムアップするまでの時間、モータ５５をオンする（ステップ７，８，１０〜１２）。つまり、モータ５５の時間制御によってカム６０を初期位置からリフト中の区間位置に回動する。
【００４７】
３歩調整信号の入力があると、初期設定に同じくフォトセンサ６２がオンするまでモータ５５をオンして、カム６０を初期位置に回動する（ステップ９，２〜４）。
【００４８】
なお、５歩調整信号、４歩調整信号の入力時は、モータ５５をオンしてフォトセンサ６２がオンした時点から、モータ５５の時間制御を行うようにもできる。
【００４９】
このように構成したため、遊技盤５を内枠２のパネル部３の盤装着部１１に容易に取付けられると共に、遊技盤５の取付角度の設定を簡単に行える。
【００５０】
遊技盤５を盤装着部１１に取付ける際は、図１７、図５のように遊技盤５の基板１２上部のフック３３を盤装着部１１の凹室１３の上部のバー１５に掛け、遊技盤５を凹室１３内に押し込むと、遊技盤５の基板１２下部の係合溝３７が図１４のように凹室１３の下部の支持台１７の支持フレーム２０に設けた掛止機構２１の爪部材２２に嵌まり、固定される。
【００５１】
基板１２上部のフック３３をバー１５に掛ければ、遊技盤５をその回動方向に沿って押し込めば良く、またその動作にしたがい、掛止機構２１の爪部材２２が押圧力を斜向面に受けてスムーズに後退した後、係合溝３７に嵌まるため、遊技盤５の押し込み力はわずかで良い。また、遊技盤５を押し込むことによって、基板１２下部に取付けてある遊技盤５側の接続端子４１が支持台１７の支持フレーム２０に取付けてある内枠２側の接続端子２７に接続される。
【００５２】
この遊技盤５の取付角度は、支持台１７の支持フレーム２０の位置によって設定する。
【００５３】
遊技盤５を前記のように取付け後、遊技機の電源を投入すると、取付角調整機構１８のモータ５５が駆動され、カム６０がリフト０の初期位置に回動される。このため、掛止機構２１を設けた支持フレーム２０が初期位置に後退され（図１２）、この位置にあるとき、遊技盤５が盤面を鉛直面に対して所定角度（例えば、３歩…０．７０７°）、後傾された状態（初期取付角状態）にセットされる。
【００５４】
この初期取付角から、操作手段６５の操作によって５歩調整信号が駆動制御装置６６に入力されると、モータ５５の時間制御によってカム６０がリフト大の区間位置まで回動され、支持フレーム２０が支持台１７の前方向に最大位置まで前進される（図１１）。この位置にあるとき、遊技盤５が盤面を鉛直面に対して所定大角度（例えば、５歩…１．１７９°）、後傾される。
【００５５】
また、初期取付角から、操作手段６５の操作によって４歩調整信号が駆動制御装置６６に入力されると、モータ５５の時間制御によってカム６０がリフト中の区間位置まで回動され、支持フレーム２０が支持台１７の前方向に所定量前進される（図１３）。この位置にあるとき、遊技盤５が盤面を鉛直面に対して所定中角度（例えば、４歩…０．９４３°）、後傾される。
【００５６】
このように、遊技機に対する遊技盤５の取付角度が設定され、また取付角度が切換えられるのである。
【００５７】
したがって、遊技機を遊技店の島設備に設置する際に、遊技機自体に角度を付けて取付ける必要がなく、遊技機の重量が重い場合あるいは外枠が曲面構造の場合にあっても、遊技機の設置を容易に行える。この場合、駆動装置５４によって遊技盤５の取付角度の設定、切換えを自動的に行えると共に、特に遊技盤５の一端を傾動自由に取付け、他端を掛止かつスライド可能にしたので、遊技盤５をしっかりと取付けながら、取付角度の切換えを簡単に行える。
【００５８】
なお、遊技盤５は、前面側から掛止機構２１の解放レバー２４を押せば、遊技盤５の取付角度にかかわらず、図１８のように基板１２下部の係合溝３７から爪部材２２が外れ、その後図１７のように基板１２上部のフック３３をバー１５から外せば、取外せる。
【００５９】
実施例では、支持台１７の支持フレーム２０に掛止機構２１を設けているが、盤装着部１１に直接支持フレームあるいは掛止機構をスライド可能に設けても良い。
【００６０】
また、遊技盤５の上部を回動自由に取付け、下部をスライド可能にして、取付角度を調整可能にしているが、遊技盤５の下部を回動自由に取付け、上部をスライド可能にして、取付角度を調整可能にしても良い。
【００６１】
【発明の効果】
以上のようにこの発明によれば、遊技機全体を角度を付けて取付けずとも、遊技盤の取付け角度の設定、切換を行え、重量が重いあるいは外枠が曲面構造等の遊技機あっても、設置を容易に行える。
また、遊技盤を傾斜させて取付けると、カバーガラス枠のカバーガラスとの隙間が大きくなるが、その遊技領域の前面にカバーを取り付けることによって、遊技盤を傾斜させても一定の遊技領域空間が得られ、遊技球の適切な動きが維持される。
【００６２】
さらに、遊技盤の一端を傾動自由に取付け、他側を掛止すると共にスライド可能にしたので、遊技盤を的確に装着しながら、その取付角度の設定、切換を簡単に行える。
加えて、遊技盤の上部のフックをバーに掛ければ、遊技盤をその回動方向に沿って押し込めば良く、またその動作にしたがい、掛止機構の爪部材が押圧力を斜向面に受けてスムーズに後退した後、係合溝に嵌まるため、遊技盤の押し込み力はわずかで良い。
【図面の簡単な説明】
【図１】遊技機の正面図である。
【図２】遊技機の側面図である。
【図３】遊技機のカバーガラスを開いた状態の正面図である。
【図４】遊技機の内枠を開いた状態の斜視図である。
【図５】遊技盤を盤装着部に取付けた状態の部分断面図である。
【図６】盤装着部の正面図である。
【図７】支持台部分の平面図である。
【図８】支持台部分の正面図である。
【図９】支持台の台板部分を切り欠いた平面図である。
【図１０】取付角調整機構の駆動装置の正面図である。
【図１１】取付角調整機構の動作説明図である。
【図１２】取付角調整機構の動作説明図である。
【図１３】取付角調整機構の動作説明図である。
【図１４】固定機構部分の固定状態を示す側断面図である。
【図１５】遊技盤の正面図である。
【図１６】遊技盤の部分裏面図である。
【図１７】遊技盤の取付け、取外し時の説明図である。
【図１８】固定機構部分の解放状態を示す側断面図である。
【図１９】制御系のブロック構成図である。
【図２０】制御例を示すフローチャートである。
【符号の説明】
１  外枠
２  内枠
３  パネル部
５  遊技盤
６  カバーガラス枠
１０  遊技操作部
１１  盤装着部
１２  基板
１３  凹室
１５  バー
１７  支持台
１８  取付角調整機構
２０  支持フレーム
２１  掛止機構
２２  爪部材
２３  ストッパ部材
２４  解放レバー
２６  ブラケット座
２７  接続端子
３３  フック
３４  画像表示装置
３５  変動入賞装置
３６  遊技制御装置
３７  係合溝
３８，３９  カバー
４０  壁部
４１  接続端子
４２  スライドピン
５０  台板
５１  支えボルト
５２  スプリング
５３  フランジ部
５４  駆動装置
５５  モータ
６０  カム
６２  フォトセンサ６２
６５  操作手段
６６  駆動制御装置
【図１】
0003971466.tif 000002
【図２】
0003971466.tif 000003
【図３】
0003971466.tif 000004
【図４】
0003971466.tif 000005
【図５】
0003971466.tif 000006
【図６】
0003971466.tif 000007
【図７】
0003971466.tif 000008
【図８】
0003971466.tif 000009
【図９】
0003971466.tif 000010
【図１０】
0003971466.tif 000011
【図１１】
0003971466.tif 000012
【図１２】
0003971466.tif 000013
【図１３】
0003971466.tif 000014
【図１４】
0003971466.tif 000015
【図１５】
0003971466.tif 000016
【図１６】
0003971466.tif 000017
【図１７】
0003971466.tif 000018
【図１８】
0003971466.tif 000019
【図１９】
0003971466.tif 000020
【図２０】
0003971466.tif 000021